(57)【要約】【課題】  本発明は既存の配線ボックスにも容易に設置して、壁板で覆われていても、その埋設位置を検出器で容易に、短時間に探し出すことができる配線ボックスを得るにある。【解決手段】  配線ボックス本体と、この配線ボックス本体の開口部側に取付けられた少なくとも一対の配線器具取付け板を取付けるねじ孔が形成された金属材製のカバーと、このカバーの一対のねじ孔の上面に、該一対のねじ孔を塞ぐことなく固定される磁石でドーナツ状に形成された埋設位置確認用センサーとで配線ボックスを構成している。【選択図】  図２
2008061499.tif 000002
【特許請求の範囲】
【請求項１】
配線ボックス本体と、この配線ボックス本体の開口部側に取付けられた少なくとも一対の配線器具取付け板を取付けるねじ孔が形成された金属材製のカバーと、このカバーの一対のねじ孔の上面に、該一対のねじ孔を塞ぐことなく固定される磁石でドーナツ状に形成された埋設位置確認用センサーとからなることを特徴とする配線ボックス。
【請求項２】
配線ボックス本体と、この配線ボックス本体の開口部側に取付けられる少なくとも一対の配線器具取付け板を取付けるねじ孔が形成された金属材製のカバーと、このカバーの一対のねじ孔部位に着脱可能に取付けることができる合成樹脂材製の取付け片、この取付け片に前記一対のねじ孔内に位置するように取付けられた磁石とからなる埋設位置確認用センサーとを備えたことを特徴とする配線ボックス。
【発明の詳細な説明】
【技術分野】
【０００１】
本発明はスイッチやコンセント等の配線器具を取付けるための壁板内等に設置される配線ボックスに関する。
【背景技術】
【０００２】
従来、壁面に設置した後、壁板で覆われ、配線時にはその設置位置がわからなくなるため、本願発明者が、配線ボックス本体の上端部に、該上端部の輪郭形状となるようにリング状の共振回路固定溝を形成し、該共振回路固定溝内にリング状の導体にコンデンサーを介装した共振回路を設置した配線ボックスが考えられ実用化されている。
【０００３】
このような配線ボックスは壁板で覆われていても、本願発明者が発明した共振回路を利用した検出器で容易に埋設されている配線ボックスを検出することができるが、共振回路を設置した配線ボックスを用いなければならず、既存の配線ボックスには共振回路の設置ができず、使用できないという欠点があった。
【特許文献１】特許第３３２４６９３号
【発明の開示】
【発明が解決しようとする課題】
【０００４】
本発明は以上のような従来の欠点に鑑み、既存の配線ボックスにも容易に設置して、壁板で覆われていても、その埋設位置を検出器で容易に、短時間に探し出すことができる配線ボックスを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は配線ボックス本体と、この配線ボックス本体の開口部側に取付けられた少なくとも一対の配線器具取付け板を取付けるねじ孔が形成された金属材製のカバーと、このカバーの一対のねじ孔の上面に、該一対のねじ孔を塞ぐことなく固定される磁石でドーナツ状に形成された埋設位置確認用センサーとで配線ボックスを構成している。
【０００７】
本発明は配線ボックス本体と、この配線ボックス本体の開口部側に取付けられる少なくとも一対の配線器具取付け板を取付けるねじ孔が形成された金属材製のカバーと、このカバーの一対のねじ孔部位に着脱可能に取付けることができる合成樹脂材製の取付け片、この取付け片に前記一対のねじ孔内に位置するように取付けられた磁石とからなる埋設位置確認用センサーとで配線ボックスを構成している。
【発明の効果】
【０００８】
以上の説明から明らかなように、本発明にあっては次に列挙する効果が得られる。
【０００９】
（１）配線ボックス本体と、この配線ボックス本体の開口部側に取付けられる少なくとも一対の配線器具取付け板を取付けるねじ孔が形成された金属材製のカバーと、このカバーの一対のねじ孔部位に着脱可能に取付けることができる合成樹脂材製の取付け片、この取付け片に前記一対のねじ孔内に位置するように取付けられた磁石とからなる埋設位置確認用センサーとで構成されているので、壁板で覆われても、金属材製のカバーの少なくとも一対のねじ孔の上面にねじ孔を塞ぐことなく固定したドーナツ状の磁石の埋設位置確認用センサーが出す磁力線によって、磁力線検出器を用いることにより、容易にその埋設位置を探し出すことができる。
したがって、壁板に誤って配線ボックスの開口部以外を切断したりするのを防止できるとともに、配線作業を短時間に行なうことができる。
【００１０】
（２）前記（１）によって、金属材製のカバーの少なくとも一対のねじ孔の上面に、ねじ孔を塞ぐことなくドーナツ状の磁石の埋設位置確認用センサーを固定するだけでよいので、既存のカバーを用いて、本発明を実施することができる。
したがって、容易で、設備等を用いることなく、本発明を実施することができる。
【００１１】
（３）前記（１）によって、ドーナツ状の磁石を用いた埋設位置確認用センサーを用いているので、配線器具取付け板を取付ける時に、取り外すことなく取付けることができる。
したがって、楽に取付け作業を行なうことができる。
【００１２】
（４）請求項２も前記（１）〜（３）と同様な効果が得られる。
【発明を実施するための最良の形態】
【００１３】
以下、図面に示す本発明を実施するための最良の形態により、本発明を詳細に説明する。
【００１４】
図１ないし図３に示す本発明を実施するための最良の第１の形態において、１Ｃは本発明の配線ボックスで、この配線ボックス１Ｃは両側壁面２、２に二対のケーブル挿入孔３、３、３、３が形成され、開口部側に内側へ突出するようにねじ孔１６が形成されたカバー取付け部１７、１７が形成された配線ボックス本体７Ａと、この配線ボックス本体７Ａの開口部を覆うように、前記カバー取付け部１７、１７のねじ孔１６、１６にビス１８、１８で取付けられる配線器具取付け板をビスで取付ける一対のねじ孔８、８が形成されたねじ部２３、２３を有する金属材製のカバー１９Ａと、このカバー１９Ａの一対のねじ部２３、２３に合成樹脂材で挟着できるようにＵ字状に形成された取付け片２４と、この取付け片２４の背面板２４ａで前面板２４ｂに形成した円弧状の切欠部２５のほぼ中央部に位置し、前記ねじ部２３へ挿入されるように固定された棒状の磁石２２とからなる埋設位置確認用センサー９Ｂ、９Ｂとで構成されている。
【００１５】
上記構成の配線ボックス１Ｃは壁面に取付けられ配線がされた後、上部が壁板で覆われた状態となる。
この状態で、壁板上を磁力線検出器をスライド移動させることにより、配線ボックス１Ｃの埋設位置確認用センサー９Ｂ、９Ｂの磁力線を検出して、配線ボックス１Ｃの埋設位置を特定することができる。
[発明を実施するための異なる形態]
【００１６】
次に、図４ないし図６に示す本発明を実施するための異なる形態につき説明する。なお、この本発明を実施するための異なる形態の説明に当って、前記本発明を実施するための最良の第１の形態と同一構成部分には同一符号を付して重複する説明を省略する。
【００１７】
図４ないし図６に示す本発明を実施するための第２の形態において、前記本発明を実施するための最良の第１の形態と主に異なる点は、金属材製のカバー１９Ａの一対のねじ部２３、２３に凹部２６、２６を形成し、該凹部２６、２６内に吸着されるワッシャ状の磁石で形成した埋設位置確認用センサー９Ｃ、９Ｃを用いた点で、このように構成した配線ボックス１Ｄにしても、前記本発明を実施するための最良の第１の形態と同様な作用効果が得られる。
【００１８】
なお、前記本発明を実施するための各形態では、配線器具が１個取付けられる１個用の配線ボックスについて説明したが、本発明はこれに限らず、配線器具を複数個取付ける複数個用の配線ボックスにも同様に使用することができる。
また、本発明はカバーに埋設位置確認用センサーを取付けたものを市販し、使用状態で本願発明となる場合も含まれる。  
【産業上の利用可能性】
【００１９】
本発明は配線ボックスを製造する産業で利用される。
【図面の簡単な説明】
【００２０】
【図１】本発明を実施するための最良の第１の形態の正面図。
【図２】図１の２−２線に沿う断面図。
【図３】本発明を実施するための最良の第１の形態の埋設位置確認用センサーの説明図。
【図４】本発明を実施するための第２の形態の正面図。
【図５】図４の５−５線に沿う断面図。
【図６】本発明を実施するための第２の形態の要部拡大説明図。
【符号の説明】
【００２１】
１Ｃ、１Ｄ：配線ボックス、    ２：側壁面、
３：ケーブル挿入孔、          ７Ａ：配線ボックス本体、
８：ねじ孔、
９Ｂ、９Ｃ：埋設位置確認用センサー、
１６：ねじ孔、                １７：カバー取付け部、
１８：ビス、                  １９Ａ：カバー、
２２：磁石、                  ２３：ねじ部、
２４：取付け片、              ２５：切欠部、
２６：凹部。
【図１】
2008061499.tif 000003
【図２】
2008061499.tif 000004
【図３】
2008061499.tif 000005
【図４】
2008061499.tif 000006
【図５】
2008061499.tif 000007
【図６】
2008061499.tif 000008
【手続補正書】
【提出日】平成19年12月27日(2007.12.27)
【手続補正１】
【補正対象書類名】特許請求の範囲
【補正対象項目名】全文
【補正方法】変更
【補正の内容】
【特許請求の範囲】
【請求項１】
配線ボックス本体と、この配線ボックス本体の開口部側に取付けられた少なくとも一対の配線器具取付け板を取付けるねじ孔が形成された金属材製のカバーと、このカバーの一対のねじ孔の上面に、該一対のねじ孔を塞ぐことなく固定される磁石でドーナツ状に形成された埋設位置確認用センサーとからなることを特徴とする配線ボックス。
【手続補正２】
【補正対象書類名】明細書
【補正対象項目名】全文
【補正方法】変更
【補正の内容】
【発明の詳細な説明】
【技術分野】
【０００１】
本発明はスイッチやコンセント等の配線器具を取付けるための壁板内等に設置される配線ボックスに関する。
【背景技術】
【０００２】
従来、壁面に設置した後、壁板で覆われ、配線時にはその設置位置がわからなくなるため、本願発明者が、配線ボックス本体の上端部に、該上端部の輪郭形状となるようにリング状の共振回路固定溝を形成し、該共振回路固定溝内にリング状の導体にコンデンサーを介装した共振回路を設置した配線ボックスが考えられ実用化されている。
【０００３】
このような配線ボックスは壁板で覆われていても、本願発明者が発明した共振回路を利用した検出器で容易に埋設されている配線ボックスを検出することができるが、共振回路を設置した配線ボックスを用いなければならず、既存の配線ボックスには共振回路の設置ができず、使用できないという欠点があった。
【特許文献１】特許第３３２４６９３号
【発明の開示】
【発明が解決しようとする課題】
【０００４】
本発明は以上のような従来の欠点に鑑み、既存の配線ボックスにも容易に設置して、壁板で覆われていても、その埋設位置を検出器で容易に、短時間に探し出すことができる配線ボックスを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は配線ボックス本体と、この配線ボックス本体の開口部側に取付けられた少なくとも一対の配線器具取付け板を取付けるねじ孔が形成された金属材製のカバーと、このカバーの一対のねじ孔の上面に、該一対のねじ孔を塞ぐことなく固定される磁石でドーナツ状に形成された埋設位置確認用センサーとで配線ボックスを構成している。
【０００７】
【発明の効果】
【０００８】
以上の説明から明らかなように、本発明にあっては次に列挙する効果が得られる。
【０００９】
（１）配線ボックス本体と、この配線ボックス本体の開口部側に取付けられる少なくとも一対の配線器具取付け板を取付けるねじ孔が形成された金属材製のカバーと、このカバーの一対のねじ孔部位に着脱可能に取付けることができる合成樹脂材製の取付け片、この取付け片に前記一対のねじ孔内に位置するように取付けられた磁石とからなる埋設位置確認用センサーとで構成されているので、壁板で覆われても、金属材製のカバーの少なくとも一対のねじ孔の上面にねじ孔を塞ぐことなく固定したドーナツ状の磁石の埋設位置確認用センサーが出す磁力線によって、磁力線検出器を用いることにより、容易にその埋設位置を探し出すことができる。
したがって、壁板に誤って配線ボックスの開口部以外を切断したりするのを防止できるとともに、配線作業を短時間に行なうことができる。
【００１０】
（２）前記（１）によって、金属材製のカバーの少なくとも一対のねじ孔の上面に、ねじ孔を塞ぐことなくドーナツ状の磁石の埋設位置確認用センサーを固定するだけでよいので、既存のカバーを用いて、本発明を実施することができる。
したがって、容易で、設備等を用いることなく、本発明を実施することができる。
【００１１】
（３）前記（１）によって、ドーナツ状の磁石を用いた埋設位置確認用センサーを用いているので、配線器具取付け板を取付ける時に、取り外すことなく取付けることができる。
したがって、楽に取付け作業を行なうことができる。
【００１２】
【発明を実施するための最良の形態】
【００１３】
以下、図面に示す本発明を実施するための最良の形態により、本発明を詳細に説明する。
【００１４】
図１ないし図３に示す本発明者が考えた配線ボックス１Ｃは両側壁面２、２に二対のケーブル挿入孔３、３、３、３が形成され、開口部側に内側へ突出するようにねじ孔１６が形成されたカバー取付け部１７、１７が形成された配線ボックス本体７Ａと、この配線ボックス本体７Ａの開口部を覆うように、前記カバー取付け部１７、１７のねじ孔１６、１６にビス１８、１８で取付けられる配線器具取付け板をビスで取付ける一対のねじ孔８、８が形成されたねじ部２３、２３を有する金属材製のカバー１９Ａと、このカバー１９Ａの一対のねじ部２３、２３に合成樹脂材で挟着できるようにＵ字状に形成された取付け片２４と、この取付け片２４の背面板２４ａで前面板２４ｂに形成した円弧状の切欠部２５のほぼ中央部に位置し、前記ねじ部２３へ挿入されるように固定された棒状の磁石２２とからなる埋設位置確認用センサー９Ｂ、９Ｂとで構成されている。
【００１５】
上記構成の配線ボックス１Ｃは壁面に取付けられ配線がされた後、上部が壁板で覆われた状態となる。
この状態で、壁板上を磁力線検出器をスライド移動させることにより、配線ボックス１Ｃの埋設位置確認用センサー９Ｂ、９Ｂの磁力線を検出して、配線ボックス１Ｃの埋設位置を特定することができる。
【００１６】
次に、図４ないし図６に示す本発明を実施するための最良の形態につき説明する。なお、この本発明を実施するための最良の形態の説明に当って、前記本発明者が考えた配線ボックスと同一構成部分には同一符号を付して重複する説明を省略する。
【００１７】
図４ないし図６に示す本発明を実施するための第１の形態において、前記図１ないし図３の配線ボックスと主に異なる点は、金属材製のカバー１９Ａの一対のねじ部２３、２３に凹部２６、２６を形成し、該凹部２６、２６内に吸着されるワッシャ状の磁石で形成した埋設位置確認用センサー９Ｃ、９Ｃを用いた点で、このように構成した配線ボックス１Ｄにしても良い。
【００１８】
なお、前記本発明を実施するための形態では、配線器具が１個取付けられる１個用の配線ボックスについて説明したが、本発明はこれに限らず、配線器具を複数個取付ける複数個用の配線ボックスにも同様に使用することができる。
また、本発明はカバーに埋設位置確認用センサーを取付けたものを市販し、使用状態で本願発明となる場合も含まれる。  
【産業上の利用可能性】
【００１９】
本発明は配線ボックスを製造する産業で利用される。
【図面の簡単な説明】
【００２０】
【図１】本発明者が考えた配線ボックスの正面図。
【図２】図１の２−２線に沿う断面図。
【図３】本発明者が考えた配線ボックスの埋設位置確認用センサーの説明図。
【図４】本発明を実施するための第１の形態の正面図。
【図５】図４の５−５線に沿う断面図。
【図６】本発明を実施するための第１の形態の要部拡大説明図。
【符号の説明】
【００２１】
１Ｃ、１Ｄ：配線ボックス、    ２：側壁面、
３：ケーブル挿入孔、          ７Ａ：配線ボックス本体、
８：ねじ孔、
９Ｂ、９Ｃ：埋設位置確認用センサー、
１６：ねじ孔、                １７：カバー取付け部、
１８：ビス、                  １９Ａ：カバー、
２２：磁石、                  ２３：ねじ部、
２４：取付け片、              ２５：切欠部、
２６：凹部。